(57)【要約】      （修正有）【課題】コイルバネが配線作業の邪魔になることが少なく、安全性と作業性の良好な天井照明装置を提供する。【解決手段】ベースユニット２とカバー部３の間に、吊り下げ機構を介してカバー部をベースユニットに対して吊下自在に設ける。吊り下げ機構は、カバー部に、天井照明装置の長手方向に伸延する２本のバネ腕７ｃを有し、それらバネ腕７ｃの先端に形成された単一の操作部７ｄをバネ腕の一方の側部にのみ形成されたコイル部７ａを介して、カバー部底板側に付勢する形で回動自在に設けられた片側コイルバネを設け、ベースユニットに、片側コイルバネを操作部を介して挿入自在に形成された窓を有する固定金具９を設けると共に、固定金具に挿入状態にある片側コイルバネの２本のバネ腕及び単一の操作部と係合し得るブラケット９ｅを設け、ブラケットを介してカバー部をベースユニット側に引き上げ得るように構成する。【選択図】図９
2019067721.tif 000002
【特許請求の範囲】
【請求項１】
天井に装着し得るベースユニット及び、該ベースユニットに着脱自在に装着可能な、発光モジュールが内蔵されたカバー部を有する天井照明装置において、
前記ベースユニットとカバー部の間に、１個以上の吊り下げ機構を介して前記カバー部を前記ベースユニットに対して吊下自在に設け、
前記吊り下げ機構は、
前記カバー部に、前記天井照明装置の長手方向に伸延する２本のバネ腕を有し、それらバネ腕の先端に形成された単一の操作部を、前記バネ腕の内の一方の側端部にのみ形成されたコイル部を介して、前記カバー部底板側に付勢する形で回動自在に設けられた片側コイルバネを設け、
前記ベースユニットに、前記片側コイルバネを、該片側コイルバネの前記操作部を介して挿入自在に形成された窓を有する固定金具を設けると共に、該固定金具に挿入状態にある前記片側コイルバネの前記２本のバネ腕及び単一の操作部と係合し得るブラケットを設け、
前記ブラケットを介して前記カバー部を前記ベースユニット側に引き上げ得るようにして構成したことを特徴とする天井照明装置。
【請求項２】
前記ブラケットは、本体を有し、該本体の両側に第１係止溝が、前記片側コイルバネの２本のバネ腕と係合自在に形成されている、請求項１記載の天井照明装置。
【請求項３】
前記ブラケットの本体の前記ベースユニット側に、第２係止溝を、前記第１係止溝の内、一方の第１係止溝との間で前記片側コイルバネの操作部及びバネ腕を保持し得るように形成したことを特徴とする請求項２記載の天井照明装置。
【請求項４】
前記ブラケットは、前記窓の前記長手方向両側にそれぞれ形成されている、ことを特徴とする請求項１記載の天井照明装置。
【発明の詳細な説明】
【技術分野】
【０００１】
本発明は、発光モジュールと、該発光モジュールを覆うように配置されるカバー部と、該カバー部を支持すると共に天井に取り付けられるベースユニットと、を備えた天井照明装置に関する。
【背景技術】
【０００２】
従来、天井照明装置（いわゆるベースライトとかシーリングライトと称されるもの）におけるカバー部の開閉構造については種々の提案がなされている（例えば、特許文献１参照）。
【０００３】
特許文献１に開示する装置は、カバー部の開放に際して、両側にコイルバネが用いられたトーションバネを用いているために、トーションバネの両側配置されたコイルバネが配線作業の邪魔になり、作業性が悪化したり、ケーブルがコイルバネと絡んでしまったりする危険性もあり、問題があった。
【０００４】
特許文献２に開示する装置は、カバー部の開放に際して、線ばねをコイル状に巻回して形成された基端部と基端部の両端から互いに離れる方向に延設された一対の腕部とを有する係止ばねを用いているために、各係止ばねの腕部が互いに離れる方向、つまり外向きに延出していることから、腕部一本のみで部材を支えることになるため、設置作業時に指を引掛けにくかったり、また指から勢いよく外れたときに腕部の先端が部材を傷つけたりする危険性もあり、問題があった。
【０００５】
【特許文献１】特開２０１６−２１２９７５号公報
【特許文献２】特開２０１４−７８４２６号公報
【発明の概要】
【発明が解決しようとする課題】
【０００６】
本発明は、コイルバネが配線作業の邪魔になることが少なく、安全性と作業性の良好な天井照明装置を提供することを目的とするものである。
【課題を解決するための手段】
【０００７】
本発明の第１の観点は、天井に装着し得るベースユニット（２）及び、該ベースユニット（２）に着脱自在に装着可能な、発光モジュールが内蔵されたカバー部（３）を有する天井照明装置（１）において、
前記ベースユニット（２）とカバー部（３）の間に、１個以上の吊り下げ機構（５）を介して前記カバー部（３）を前記ベースユニット（２）に対して吊下自在に設け、
前記吊り下げ機構（５）は、
前記カバー部（３）に、前記天井照明装置（１）の長手方向（矢印Ａ、Ｂ方向）に伸延する２本のバネ腕（７ｃ、７ｃ）を有し、それらバネ腕（７ｃ、７ｃ）の先端に形成された単一の操作部（７ｄ）を、前記バネ腕（７ｃ、７ｃ）の内の一方の側端部にのみ形成されたコイル部（７ａ）を介して、前記カバー部底板（３ａ）側に付勢する形で回動自在に設けられた片側コイルバネ（７）を設け、
前記ベースユニット（２）に、前記片側コイルバネ（７）を、該片側コイルバネ（７）の前記操作部（７ｄ）を介して挿入自在に形成された窓（９ｄ）を有する固定金具（９）を設けると共に、該固定金具（９）に挿入状態にある前記片側コイルバネ（７）の前記２本のバネ腕（７ｃ、７ｃ）及び単一の操作部（７ｄ）と係合し得るブラケット（９ａ）を設け、
前記ブラケット（９ｅ）を介して前記カバー部（３）を前記ベースユニット（２）側に引き上げ得るようにして構成したことを特徴として構成される。
【０００８】
本発明の第２の観点は、前記ブラケット（９ｅ）は、本体（９ｇ）を有し、該本体（９ｇ）の両側に第１係止溝（９ｆ、９ｆ）が、前記片側コイルバネの２本のバネ腕（７ｃ、７ｃ）と係合自在に形成されていることを特徴とする。
【０００９】
本発明の第３の観点は、前記ブラケット（９ｅ）の本体（９ｇ）の前記ベースユニット（２）側に、第２係止溝（９ｈ、９ｈ）を、前記第１係止溝（９ｆ、９ｆ）の内、一方の第１係止溝（９ｆ）との間で前記片側コイルバネ（７）の操作部（７ｄ）及びバネ腕（７ｃ、７ｃ）を保持し得るように形成したことを特徴として構成される。
【００１０】
本発明の第４の観点は、前記ブラケット（９ｅ）は、前記窓（９ｄ）の前記長手方向（矢印Ａ、Ｂ）両側にそれぞれ形成されている、ことを特徴として構成される。
【発明の効果】
【００１１】
吊り下げ機構（５）を構成する片側コイルバネ（７）のコイル部（７ａ）が一方のバネ腕（７ｃ）側にのみ形成されているので、バネ腕（７ｃ、７ｃ）の両側にコイル部（７ａ）を設けた場合に比して、コイル部の設置面積を少なくすることができ、それだけ配線作業が楽になり、作業性の良好な天井照明装置の提供が可能となる。
【００１２】
第１係止溝（９ｆ、９ｆ）により、片側コイルバネ（７）のバネ腕（７ｃ、７ｃ）を確実に保持することが出来、円滑なカバー部（３）の開閉が可能となる。
【００１３】
ブラケット（９ｅ）の本体（９ｇ）のベースユニット（２）側に設けられた第２係止溝（９ｈ、９ｈ）により、片側コイルバネ（７）を第１係止溝（９ｆ）との間で斜めに係止することが可能となり、カバー部（３）をベースユニット（２）の長手方向を軸に斜めの開放状態で支持することが可能となり、配線作業が容易となる。
【００１４】
ブラケット（９ｅ）を窓（９ｄ）の長手方向（矢印Ａ、Ｂ）両側にそれぞれ形成することで、片側コイルバネ（７）の設置方向を、操作部（７ｄ）が例えば図３の逆方向に向いた形で設置することも可能であり、施工現場の状態に適合させて臨機応変に対応することが可能となる。
【００１５】
なお、括弧内の番号等は、図面における対応する要素を示す便宜的なものであり、従って、本記述は図面上の記載に限定拘束されるものではない。
【図面の簡単な説明】
【００１６】
【図１】図１は、本発明が適用された天井照明装置の一例を示す斜視図。
【図２】図２は、図1の天井照明装置の吊り下げ機構部分の斜視図。
【図３】図３は、図1の天井照明装置の吊り下げ機構部分の正面図。
【図４】図４は、カバー部の片側コイルバネの装着態様の一例を示す斜視図。
【図５】図５は、図１の天井照明装置における吊り下げ機構の斜視図。
【図６】図６は、図1の天井照明装置で、ベースユニットにカバー部を吊り下げた様子を示す斜視図。
【図７】図７は、カバー部がベースユニットに装着された状態の一例を示す断面図。
【図８】図８は、固定金具の一例を示す斜視図。
【図９】図９は、カバー部をベースユニットに対して斜め保持させた状態を示す断面図。
【発明を実施するための形態】
【００１７】
以下、図面に基づき、本発明の実施例を説明する。
【００１８】
天井照明装置1は、図1に示す様に、建物の天井部分に装着されるベースユニット２を有しており、ベースユニット２には、図示しない発光ダイオード等からなる発光モジュールが内蔵されたカバー部３が、後述する吊り下げ機構５、５を介して取り付け吊下自在に設けられている。
【００１９】
吊り下げ機構５、５は、図２乃至図７に示す様に、ベースユニット２とカバー部３との間に設置され、天井照明装置1の長手方向である図１矢印Ａ、Ｂ方向両側にそれぞれ1カ所ずつ、合計２カ所設けられているが、吊り下げ機構５の設置個数は１個以上、何個でもよい。但し、１個の場合には、天井照明装置１の長手方向中央部に装着することが望ましい。
【００２０】
吊り下げ機構５は、図２乃至図５に示す様に、カバー部３に装着されたバネホルダ６を有しており、バネホルダ６はＬ字状に屈曲形成されたブラケット状のコイル保持部６ａ、該コイル保持部６ａに対向する形で形成されたバネ腕保持部６ｂを有している。バネ腕保持部６ｂには保持穴６ｃが穿設形成されており、コイル保持部６ａ及びバネ腕保持部６ｂ間には、両側にバネ腕７ｃ、７ｃが形成された片側コイルバネ７が、片側コイルバネ７の一方のバネ腕７ｃの端部にのみ円環状に形成されたコイルバネであるコイル部７ａを、コイル保持部６ａに挿入係合させ、他方のバネ腕７ｃの先端に形成された係止部である屈曲部７ｂをバネ腕保持部６ｂの保持穴６ｃに陥入係合させた形で設置されている。なお、コイル部７ａがバネの片側にのみ設けられた片側コイルバネ７を使用することで、コイルバネの大きさ、特に図７に示す天井照明装置１の短手方向である矢印Ｃ，Ｄ方向のバネ幅Ｗ１を小型化すること出来る。
【００２１】
片側コイルバネ７は、２本のバネ腕７ｃ、７ｃが天井照明装置1の長手方向である矢印Ａ、Ｂ方向に突出する形で伸延形成されており、両バネ腕７ｃ、７ｃの先端部はコの字状に屈曲した単一の操作部７ｄとなっている。両バネ腕７ｃ、７ｃは、図３に示す様に、途中の屈曲部７ｅ、７ｅで２度、図３のカバー部３側に所定角度屈曲した形で形成されており、先端の操作部７ｄを図５の上下方向に操作することで、片側コイルバネ７は、コイル部７ａの巻き芯及びバネホルダ６の保持穴６ｃ（バネの作動中心）を中心にして弾性的に回動自在に構成されている。なお、片側コイルバネ７のバネ腕７ｃ、７ｃの伸延方向は、図４に示すようなコイル部７ａに対して矢印Ｂ方向であっても、逆にコイル部７ａに対して矢印Ａ方向に伸延する構成でも良い。また、片側コイルバネ７は、現場の状況に合わせて、適宜矢印Ａ方向、又は矢印Ｂ方向に操作部７ｄが伸延する形にバネホルダ６に装着設置するようにしてもよい。また、片側コイルバネ７は、後述する固定金具９との非係合状態では、操作部７ｄを図２に示すカバー部３底板３ａ側に付勢した形で設けられている。
【００２２】
吊り下げ機構５は、また、図２及び図３に示す様に、ベースユニット２側に装着された固定金具９を有しており、固定金具９は、図８に示すように、ベースユニット２と図示しないねじなどの固定手段を介して接続されるブラケット９ａ，９ａを有している。固定金具９は全体が溝状に形成された本体９ｂを有しており、本体９ｂのカバー部３側の位置する底部９ｃには、窓９ｄが穿設形成されている。窓９ｄのベースユニット２の長手方向である矢印Ａ、Ｂ方向に両側には、ブラケット９ｅ、９ｅがそれぞれ形成されており、各ブラケット９ｅは図８に示す様に、幅がＷ２で形成された本体９ｇを有している。本体９ｇ下部の両側には、第１係止溝９ｆ、９ｆが形成されており、第１係止溝９ｆ、９ｆにより、本体９ｇは当該第１係止溝９ｆ、９ｆ部分で、幅がＷ３となっている。
【００２３】
本体９ｇの幅Ｗ２は、片側コイルバネ７のバネ腕７ｃ、７ｃのベースユニット２短手方向である矢印Ｃ，Ｄ方向における外側幅Ｗ４、従って操作部７ｄの幅よりも大きく形成されており、また第１係止溝９ｆ、９ｆ間の最小幅Ｗ３は、バネ腕７ｃ、７ｃのベースユニット２短手方向である矢印Ｃ，Ｄ方向における内側幅Ｗ５よりも小さく形成されている。また、本体９ｇの図８上辺、従ってベースユニット２側には２個の第２係止溝９ｈ、９ｈが形成されており、第１係止溝９ｆと第２係止溝９ｈは、図８破線に示すように片側コイルバネ７の操作部７ｄを斜めに傾けた形で、該操作部７ｄ近傍の腕７ｃ、７ｃをそれぞれ陥入係合し得るような寸法関係に形成されている。図８に示す例は、片側コイルバネ７が図中右方の第２係止溝９ｈと図中左方の第１係止溝９ｆ間に陥入係合されている場合を示しているが、片側コイルバネ７が図中左方の第２係止溝９ｈと図中右方の第１係止溝９ｆ間に陥入係合されている場合も同様である。なお、第２係止溝９ｈの数は、第１係止溝９ｆと第２係止溝９ｈの間で片側コイルバネ７の操作部７ｄ及びバネ腕７ｃ、７ｃを斜めに保持しうる限り、１個以上何個形成しても良い。
【００２４】
天井照明装置１は以上のような構成を有するので、天井照明装置1を建物の天井などに設置する場合には、まず、図２、図３及び図６に示す様に、ベースユニット２を図示しない天井などにアンカーボルト、ネジなどの適宜な固定部材１０を介して装着固定する。次に発光モジュールが内蔵されたカバー部３を、図５及び図６に示すように、カバー部３の長手方向とベースユニット２の長手方向を一致させる形で、作業者がベースユニット２方向に持って移動させるが、この際カバー部３の各吊り下げ機構５の片側コイルバネ７を、操作部７ｄを、図５の操作部７ｄがカバー部３の底板３ａ側に位置する状態から矢印Ｅ方向、従って図中上方に片側コイルバネ７の弾性に抗する形で押し上げる。この状態で、片側コイルバネ７の先端の操作部７ｄを、図６に示す様に固定金具９の窓９ｄに挿入し、更に図３に示す様に、操作部７ｄをベースユニット２の底板２ａに沿った形で矢印Ｂ方向に移動させつつ、バネ腕７ｃ、７ｃでブラケット９ａの本体を両側から挟み込む形で係合させる。この際、バネ腕７ｃ、７ｃをその弾性に抗して内側幅Ｗ５を拡大させる形に弾性変形させてバネ腕７ｃ、７ｃを、図８に示す様に、固定金具９の第１係止溝９ｆ、９ｆにそれぞれ陥入係合させる。
【００２５】
この状態で、カバー部３を図６上方向である矢印Ｆ方向に移動させると、固定金具９の第１係止溝９ｆ、９ｆと係合する片側コイルバネ７の弾性が操作部７ｄをカバー部３側に移動させるように付勢するので、カバー部３は図６上方、従ってベースユニット２側に引き上げられる形の力を受ける。従って、このままカバー部３を図中上方に移動させると、片側コイルバネ７は、図３に示す様に、腕７ｃ、７ｃが第１係止溝９ｆ、９ｆ内を摺動する形で窓９ｃ内に入り込み、カバー部３がベースユニット２と当接する形となる。カバー部３が上方に移動するのに合わせて、作業者はカバー部３をベースユニット２と整合させ、図２及び図７に示す様に、カバー部３がベースユニット２の適正な収納位置に配置されるように調整する。カバー部３がベースユニット２の適正な収納位置に配置された状態では、図３に示す様に、片側コイルバネ７は、コイル部７ａの弾性により、腕７ｃ、７ｃが第１係止溝９ｆ、９ｆを介してカバー部３を図中上方に付勢するので、カバー部３はベースユニット２に対して常に図７上方に押しつけられる形で保持され、図１に示す様に、組立状態が維持されることとなる。
【００２６】
なお、片側コイルバネ７は図７に示す様に、バネ腕７ｃ、７ｃの片側（例えば図７の右方側）にしかコイル部７ａが形成されていないので、片側コイルバネ７の係止部７ｂが配置されている側の空間を利用する形で、配線ケーブルを敷設することが出来、ケーブルがコイル部７ａに巻き込まれるような事態の発生を未然に防止することが出来る。更に、片側コイルバネ７の操作部７ｄは、コイル部７ａ及び屈曲部７ｂに対して、例えば図４の右方など、一方向にのみ伸延する形で形成されているので、コイル部の両側に操作部をそれぞれ形成した場合に比して、片側コイルバネ７ｂを固定金具９に係合させる場合でも、片手で操作部７ｄを操作して行うことが出来るばかりか、片側コイルバネ７の長手方向（矢印Ａ、Ｂ方向）の全長を短くすることが出来、それだけ配線ケーブルの敷設空間を確保することが出来る。
【００２７】
また、カバー部３をベースユニット２に吊下させた状態で、カバー部３及びベースユニット２に対する配線作業などを行う場合には、図６に示す片側コイルバネ７のバネ腕７ｃ、７ｃがブラケット９ｅの第１係止溝９ｆ、９ｆと係合し、カバー部３がベースユニット２に対して離隔開放された状態で、一方のバネ腕７ｃを、例えば図８の矢印Ｃ方向に弾性変形させて、バネ腕７ｃと図８右方の第１係止溝９ｆとの係合状態を解除し、本体９ｇ右側面を摺動させる形で図中上方に移動させ、図中右方の第２係止溝９ｈに陥入係合させる。この状態で、カバー部３を下方に引き下ろすと、片側コイルバネ７の操作部７ｄがブラケット９ｅの図８背面と当接し、カバー部３は図８に示す様に、ブラケット９ｅの図中左方の第１係止溝９ｆと図中右方の第２係止溝９ｈにより、ベースユニット２に対して、図９に示すように斜めに保持され、作業位置に保持されることとなる。なお、図９に示す様に、図中左方が大きく開放された作業位置の他に、バネ腕７ｃと図８左方の第１係止溝９ｆとの係合状態を解除し、本体９ｇの左側面を摺動させる形で図中上方に移動させ、図中左方の第２係止溝９ｈに陥入係合させると、カバー部３は図８のブラケット９ｅの図中右方の第１係止溝９ｆと図中左方の第２係止溝９ｈにより、ベースユニット２に対して、図９の右側が大きく開放された形に斜めに保持され、作業位置に保持されることとなる。
【００２８】
片側コイルバネ７の操作部７ｄがブラケット９ｅと当接した状態では、図６に示す様に、片側コイルバネ７はバネ腕７ｃ、７ｃの最も長い部分でカバー部３を吊下保持することとなり、片側コイルバネ７の弾性によるカバー部３を図６上方に引き上げようとする力とカバー部３の自重がほぼ拮抗する形となり、カバー部３はベースユニット２に対して図６下方に所定距離引き下げられた形で保持されることとなる（図６では、カバー部３がベースユニット２に対して斜めに保持された状態となっているが、天井照明装置１の長手方向両側に吊り下げ機構５を設けた場合には、カバー部３はベースユニット２に対して略水平に保持される）。この状態で、片側コイルバネ７をブラケット９ｅの図中左方の第１係止溝９ｆと図中右方の第２係止溝９ｈに係合させることで、図９に示す様に、カバー部３はベースユニット２に対して図９の矢印Ｈ方向に回転したような状態になり、作業に適した開放角度でベースユニット２の長手方向を中心に開放支持されることとなる。
【００２９】
この状態で、作業者はベースユニット２とカバー部３間の配線などの必要な設置作業を行うが、カバー部３はベースユニット２に対して長手方向（紙面と直角方向）に対して図中左側が大きく開かれる形で開放される形となり、設置作業を円滑に行うことが出来る。
【００３０】
設置作業が終了すると、作業者は、カバー部３を図６中矢印Ｆ方向に引き上げると共に、片側コイルバネ７の図８右方のバネ腕７ｃを図８中右方に弾性変形させ、バネ腕７ｃと第２係止溝９ｈとの係合を解除し、そのまま図中下方に摺動させて、第１係止溝９ｆと係合させる。すると、片側コイルバネ７はブラケット９ｅに第１係止溝９ｆ、９ｆで係合することとなる。この状態で、カバー部３を図６上方に引き上げると、片側コイルバネ７の弾性力がバネ腕７ｃ、７ｃを介して固定金具９により強く作用してカバー部３を図６上方に引き上げる方向に付勢することとなる。この状態で、カバー部３が上方に移動するのに合わせて、作業者はカバー部３をベースユニット２と整合させ、図７に示す様に、カバー部３がベースユニット２の適正な収納位置に配置されるように調整して、カバー部３をベースユニット２に装着する。
【００３１】
なお、点検などで、カバー部３をベースユニット２に対して下方に分離させる場合には、カバー部３をベースユニット２に対して図６下方の矢印Ｇ方向に、引き下げる。すると、吊り下げ機構５の片側コイルバネ７は、バネ腕７ｃ、７ｃが固定金具９のブラケット９ｅの第１係止溝９ｆ、９ｆ内を摺動する形で図６矢印Ｇ方向にコイル部７ａの弾性に抗する形で移動し、カバー部３がベースユニット２に対して下方に移動する。ある程度、カバー部３をベースユニット２に対して下方に移動させたところで、片側コイルバネ７の一方の腕７ｃを、図９に示す様に、第２係止溝９ｈと係合させて、第１係止溝９ｆと第２係止溝９ｈとの間でカバー部３を斜めに開放保持し、この状態で、作業者は必要な作業を行う。
【符号の説明】
【００３２】
１……天井照明装置
２……ベースユニット
３……カバー部
３ａ……底板
５……吊り下げ機構
７……片側コイルバネ
７ａ……コイル部
７ｂ……係止部
７ｃ……バネ腕
７ｄ……操作部
９……固定金具
９ｄ……窓
９ｅ……ブラケット
９ｆ……第１係止溝
９ｇ……本体
９ｈ……第２係止溝
【図１】
2019067721.tif 000003
【図２】
2019067721.tif 000004
【図３】
2019067721.tif 000005
【図４】
2019067721.tif 000006
【図５】
2019067721.tif 000007
【図６】
2019067721.tif 000008
【図７】
2019067721.tif 000009
【図８】
2019067721.tif 000010
【図９】
2019067721.tif 000011